(57)【特許請求の範囲】
【請求項１】
レンズを保持する鏡枠と、
前記鏡枠の周囲を囲むように配置されたピントリングと、
前記レンズ、前記鏡枠及び前記ピントリングを保持するベースと、
を備えたレンズ保持装置であって、
前記ピントリングに、前記レンズの中心を中心とした回転をさせる動力を入力するための動力入力端部と、
前記回転により、当該ピントリング並びに前記鏡枠及び前記レンズを、該レンズの光軸方向に沿って進退可能とする段差をもつカム部と、
を備え、
前記ベースに、
前記カム部と当接するカム受け部と、
前記ピントリングの前記回転及び前記進退を可能としつつ当該ピントリングに接してこれを保持する保持部と、
を備え、
前記ピントリング及び前記ベースの少なくとも一方は、前記カム部と前記カム受け部との間に弾性力を作用させる弾性部を、当該一方の一部を構成するものとして備え、
前記ピントリングは略円筒形状をもち、
前記カム部は、前記ピントリングの周端面の上に備えられており、かつ、
前記カム受け部、前記保持部及び前記弾性部は、共通の部材によって構成され、
前記共通の部材は、
前記周端面のうち前記カム部となる部分を覆う覆蓋部と、
前記覆蓋部の一端から前記光軸方向に沿って延び前記ベースの基礎面に至る柱部と、
を含み、
前記弾性部は、前記覆蓋部及び前記柱部を含み、
当該弾性部による前記弾性力は、前記覆蓋部及び前記柱部の少なくとも一方における弾性変形を原因として発生する、
ことを特徴とするレンズ保持装置。
【請求項２】
レンズを保持する鏡枠と、
前記鏡枠の周囲を囲むように配置されたピントリングと、
前記レンズ、前記鏡枠及び前記ピントリングを保持するベースと、
を備えたレンズ保持装置であって、
前記ピントリングに、前記レンズの中心を中心とした回転をさせる動力を入力するための動力入力端部と、
前記回転により、当該ピントリング並びに前記鏡枠及び前記レンズを、該レンズの光軸方向に沿って進退可能とする段差をもつカム部と、
を備え、
前記ベースに、
前記カム部と当接するカム受け部と、
前記ピントリングの前記回転及び前記進退を可能としつつ当該ピントリングに接してこれを保持する保持部と、
を備え、
前記ピントリング及び前記ベースの少なくとも一方は、前記カム部と前記カム受け部との間に弾性力を作用させる弾性部を、当該一方の一部を構成するものとして備え、
前記ピントリングは略円筒形状をもち、
前記カム部は、前記ピントリングの側面に形成された第１長穴の輪郭形状の少なくとも一部として備えられており、
前記カム受け部及び前記保持部は、共通の部材によって構成されている、
ことを特徴とするレンズ保持装置。
【請求項３】
前記共通の部材は、
前記第１長穴に差し込まれる突起部と、
前記突起部の基端から前記光軸方向に沿って延び前記ベースの基礎面に至る柱部と、
を含むことを特徴とする請求項２に記載のレンズ保持装置。
【請求項４】
前記ピントリングは更に、
前記第１長穴を当該ピントリングの周端面で開口させ、かつ、前記突起部を当該突起部挿入用孔から前記第１長穴へ導くことの可能な突起部挿入用孔を備えていることを特徴とする請求項３に記載のレンズ保持装置。
【請求項５】
前記ピントリングは略円筒形状をもち、
前記弾性部は、前記ピントリングの周端面に近い側面に、且つ、該ピントリングの周方向に沿って一定の長さをもつように形成された第２長穴、及び、当該周端面間の第１横梁部を含み、
当該弾性部による前記弾性力は、前記第１横梁部の撓みを原因として発生することを特
徴とする請求項２乃至４の何れか１項に記載のレンズ保持装置。
【請求項６】
レンズを保持する鏡枠と、
前記鏡枠の周囲を囲むように配置されたピントリングと、
前記レンズ、前記鏡枠及び前記ピントリングを保持するベースと、
を備えたレンズ保持装置であって、
前記ピントリングに、前記レンズの中心を中心とした回転をさせる動力を入力するための動力入力端部と、
前記回転により、当該ピントリング並びに前記鏡枠及び前記レンズを、該レンズの光軸方向に沿って進退可能とする段差をもつカム部と、
を備え、
前記ベースに、
前記カム部と当接するカム受け部と、
前記ピントリングの前記回転及び前記進退を可能としつつ当該ピントリングに接してこれを保持する保持部と、
を備え、
前記ピントリング及び前記ベースの少なくとも一方は、前記カム部と前記カム受け部との間に弾性力を作用させる弾性部を、当該一方の一部を構成するものとして備え、
前記ピントリングは略円筒形状をもち、
前記弾性部は、前記ピントリングの周端面に近い側面に、且つ、該ピントリングの周方向に沿って一定の長さをもつように形成された第２長穴、及び、当該周端面間の第１横梁部を含み、
当該弾性部による前記弾性力は、前記第１横梁部の撓みを原因として発生することを特徴とするレンズ保持装置。
【請求項７】
前記ベースは更に、前記第１横梁部に当接する第１凸部を備え、
前記撓みは、前記第１横梁部が前記第１凸部によって前記光軸方向に沿って押されることにより発生することを特徴とする請求項６に記載のレンズ保持装置。
【請求項８】
前記第２長穴は、前記第１横梁部の延在方向の一部が切り欠かれた切り欠き部を通じて、前記周端面において開口しており、
前記切り欠き部近傍の前記第１横梁部の端部には、前記第１凸部と係合可能な第２凸部が備えられていることを特徴とする請求項７に記載のレンズ保持装置。
【請求項９】
レンズを保持する鏡枠と、
前記鏡枠の周囲を囲むように配置されたピントリングと、
前記レンズ、前記鏡枠及び前記ピントリングを保持するベースと、
を備えたレンズ保持装置であって、
前記ピントリングに、前記レンズの中心を中心とした回転をさせる動力を入力するための動力入力端部と、
前記回転により、当該ピントリング並びに前記鏡枠及び前記レンズを、該レンズの光軸方向に沿って進退可能とする段差をもつカム部と、
を備え、
前記ベースに、
前記カム部と当接するカム受け部と、
前記ピントリングの前記回転及び前記進退を可能としつつ当該ピントリングに接してこれを保持する保持部と、
を備え、
前記ピントリング及び前記ベースの少なくとも一方は、前記カム部と前記カム受け部との間に弾性力を作用させる弾性部を、当該一方の一部を構成するものとして備え、
前記ピントリングは略円筒形状をもち、
前記カム部は、前記ピントリングにおける前記ベースに対向する一方の周端面の上に備えられており、
前記弾性部は、前記ピントリングの他方の周端面に近い側面に、且つ、その周方向に沿って一定の長さをもつように形成された第３長穴、及び、当該周端面間の第２横梁部を含み、
当該弾性部による前記弾性力は、前記第２横梁部の撓みを原因として発生し、
前記保持部は、前記第２横梁部を前記光軸方向に沿って押すことにより前記撓みを発生させる、
ことを特徴とするレンズ保持装置。
【請求項１０】
前記弾性部は、前記ピントリングの円筒壁を径方向に薄肉化した薄肉壁に備えられていることを特徴とする請求項５乃至９の何れか１項に記載のレンズ保持装置。
【請求項１１】
レンズを保持する鏡枠と、
前記鏡枠の周囲を囲むように配置されたピントリングと、
前記レンズ、前記鏡枠及び前記ピントリングを保持するベースと、
を備えたレンズ保持装置であって、
前記ピントリングに、前記レンズの中心を中心とした回転をさせる動力を入力するための動力入力端部と、
前記回転により、当該ピントリング並びに前記鏡枠及び前記レンズを、該レンズの光軸方向に沿って進退可能とする段差をもつカム部と、
を備え、
前記ベースに、
前記カム部と当接するカム受け部と、
前記ピントリングの前記回転及び前記進退を可能としつつ当該ピントリングに接してこれを保持する保持部と、
を備え、
前記ピントリング及び前記ベースの少なくとも一方は、前記カム部と前記カム受け部との間に弾性力を作用させる弾性部を、当該一方の一部を構成するものとして備え、
前記ピントリングは略円筒形状をもち、
前記弾性部は、前記ピントリングの一方の周端面又は該一方の周端面と対向すべき前記ベースの基礎面に付着された板ばねを含み、
前記カム部は、前記ピントリングの他方の周端面の上に備えられている、
ことを特徴とするレンズ保持装置。
【請求項１２】
請求項１乃至１１の何れか１項に記載のレンズ保持装置を撮影装置として用いたことを特徴とする携帯機器。
【発明の詳細な説明】
【技術分野】
【０００１】
本発明はレンズ保持装置及びレンズ保持装置を備えた携帯機器に関する。
【背景技術】
【０００２】
従来、携帯電話や携帯型パーソナルコンピュータ等に搭載されるための、固体撮像素子を備えたレンズ保持装置が提案されている。このレンズ保持装置は、前記固体撮像素子のほか、一般的に、レンズ、これを保持する鏡枠、該鏡枠を固持するピントリング、及びこれらを安定的に保持するベース等を備える。
このようなレンズ保持装置としては、例えば特許文献１に開示されているようなものが知られている。
【特許文献１】特開２００３−２３００２８号公報
【発明の開示】
【発明が解決しようとする課題】
【０００３】
ところで、上述したようなレンズ保持装置において、レンズ保持装置の外部から入射する光は、レンズを通過し、固体撮像素子上で像を結ぶ。この場合、レンズと個体撮像素子間の距離は好適に定められていなければならない。ただし、レンズの具体的構成如何によっては、レンズ保持装置は、２カ所以上で合焦位置をもち得る。このような場合、当該レンズ保持装置は、前記のピントリングの回転運動等を通じて、レンズがベースに対して、相対的に進退可能な機構ないし構造をもつ。
【０００４】
このようなものでは、レンズ、鏡枠及びピントリングの一体的な進退運動を阻害することなく、しかもこれらの要素を安定的にベースに固持するための何らかの手段が必要となる。従来においては、そのために、例えば、ピントリングをベースに押さえ付けるための板ばねと、この板ばねをベースに固着するためのカバー等が利用されている。
【０００５】
この構造によれば、板ばねがもつ弾性変形能力の範囲内で、ピントリング等の進退運動が可能である。しかも、その板ばねの弾性力によって、ピントリング等は、ベースに押さえ付けられることになるから、その安定的な保持も実現されることになる。
【０００６】
しかしながら、かかる構造では、板ばね及びカバー等の部品が必要となって、部品点数が増大するという不具合がある。また、それに対応した、コストの増大も見込まれる。さらに、そのような余計な部材が存在する分、当該のレンズ保持装置は、構造が複雑化するし、組み立ての困難性も増す。
【０００７】
本発明は、上記事情に鑑みてなされたものであり、より簡易な構造でありながら、ピント調整可能なレンズ保持装置及びレンズ保持装置を備えた携帯端末装置を提供することを目的とする。
【課題を解決するための手段】
【０００８】
上記目的を達成するため、本発明の第１の観点に係るレンズ保持装置は、レンズを保持する鏡枠と、前記鏡枠の周囲を囲むように配置されたピントリングと、前記レンズ、前記鏡枠及び前記ピントリングを保持するベースと、を備えたレンズ保持装置であって、前記ピントリングに、前記レンズの中心を中心とした回転をさせる動力を入力するための動力入力端部と、前記回転により、当該ピントリング並びに前記鏡枠及び前記レンズを、該レンズの光軸方向に沿って進退可能とする段差をもつカム部と、を備え、前記ベースに、前記カム部と当接するカム受け部と、前記ピントリングの前記回転及び前記進退を可能としつつ当該ピントリングに接してこれを保持する保持部と、を備え、前記ピントリング及び前記ベースの少なくとも一方は、前記カム部と前記カム受け部との間に弾性力を作用させる弾性部を、当該一方の一部を構成するものとして備え、前記ピントリングは略円筒形状をもち、前記カム部は、前記ピントリングの周端面の上に備えられており、かつ、前記カム受け部、前記保持部及び前記弾性部は、共通の部材によって構成され、前記共通の部材は、前記周端面のうち前記カム部となる部分を覆う覆蓋部と、前記覆蓋部の一端から前記光軸方向に沿って延び前記ベースの基礎面に至る柱部と、を含み、前記弾性部は、前記覆蓋部及び前記柱部を含み、当該弾性部による前記弾性力は、前記覆蓋部及び前記柱部の少なくとも一方における弾性変形を原因として発生する、ことを特徴とする。
【０００９】
また、上記目的を達成するため、本発明の第２の観点に係るレンズ保持装置は、レンズを保持する鏡枠と、前記鏡枠の周囲を囲むように配置されたピントリングと、前記レンズ、前記鏡枠及び前記ピントリングを保持するベースと、を備えたレンズ保持装置であって、前記ピントリングに、前記レンズの中心を中心とした回転をさせる動力を入力するための動力入力端部と、前記回転により、当該ピントリング並びに前記鏡枠及び前記レンズを、該レンズの光軸方向に沿って進退可能とする段差をもつカム部と、を備え、前記ベースに、前記カム部と当接するカム受け部と、前記ピントリングの前記回転及び前記進退を可能としつつ当該ピントリングに接してこれを保持する保持部と、を備え、前記ピントリング及び前記ベースの少なくとも一方は、前記カム部と前記カム受け部との間に弾性力を作用させる弾性部を、当該一方の一部を構成するものとして備え、前記ピントリングは略円筒形状をもち、前記カム部は、前記ピントリングの側面に形成された第１長穴の輪郭形状の少なくとも一部として備えられており、前記カム受け部及び前記保持部は、共通の部材によって構成されている、ことを特徴とする。
【００１０】
この態様では、前記共通の部材は、前記第１長穴に差し込まれる突起部と、前記突起部の基端から前記光軸方向に沿って延び前記ベースの基礎面に至る柱部と、を含むように構成してもよい。
【００１１】
この態様では更に、前記ピントリングは更に、前記第１長穴を当該ピントリングの周端面で開口させ、かつ、前記突起部を当該突起部挿入用孔から前記第１長穴へ導くことの可能な突起部挿入用孔を備えているように構成してもよい。
【００１２】
また、この態様では、前記ピントリングは略円筒形状をもち、前記弾性部は、前記ピントリングの周端面に近い側面に、且つ、該ピントリングの周方向に沿って一定の長さをもつように形成された第２長穴、及び、当該周端面間の第１横梁部を含み、当該弾性部による前記弾性力は、前記第１横梁部の撓みを原因として発生するように構成してもよい。
【００１３】
また、上記目的を達成するため、本発明の第３の観点に係るレンズ保持装置は、レンズを保持する鏡枠と、前記鏡枠の周囲を囲むように配置されたピントリングと、前記レンズ、前記鏡枠及び前記ピントリングを保持するベースと、を備えたレンズ保持装置であって、前記ピントリングに、前記レンズの中心を中心とした回転をさせる動力を入力するための動力入力端部と、前記回転により、当該ピントリング並びに前記鏡枠及び前記レンズを、該レンズの光軸方向に沿って進退可能とする段差をもつカム部と、を備え、前記ベースに、前記カム部と当接するカム受け部と、前記ピントリングの前記回転及び前記進退を可能としつつ当該ピントリングに接してこれを保持する保持部と、を備え、前記ピントリング及び前記ベースの少なくとも一方は、前記カム部と前記カム受け部との間に弾性力を作用させる弾性部を、当該一方の一部を構成するものとして備え、前記ピントリングは略円筒形状をもち、前記弾性部は、前記ピントリングの周端面に近い側面に、且つ、該ピントリングの周方向に沿って一定の長さをもつように形成された第２長穴、及び、当該周端面間の第１横梁部を含み、当該弾性部による前記弾性力は、前記第１横梁部の撓みを原因として発生することを特徴とする。
【００１４】
この態様では、前記ベースは更に、前記第１横梁部に当接する第１凸部を備え、前記撓みは、前記第１横梁部が前記第１凸部によって前記光軸方向に沿って押されることにより発生するように構成してもよい。
【００１５】
この態様では更に、前記第２長穴は、前記第１横梁部の延在方向の一部が切り欠かれた切り欠き部を通じて、前記周端面において開口しており、前記切り欠き部近傍の前記第１横梁部の端部には、前記第１凸部と係合可能な第２凸部が備えられているように構成してもよい。
【００１６】
また、上記目的を達成するため、本発明の第４の観点に係るレンズ保持装置は、レンズを保持する鏡枠と、前記鏡枠の周囲を囲むように配置されたピントリングと、前記レンズ、前記鏡枠及び前記ピントリングを保持するベースと、を備えたレンズ保持装置であって、前記ピントリングに、前記レンズの中心を中心とした回転をさせる動力を入力するための動力入力端部と、前記回転により、当該ピントリング並びに前記鏡枠及び前記レンズを、該レンズの光軸方向に沿って進退可能とする段差をもつカム部と、を備え、前記ベースに、前記カム部と当接するカム受け部と、前記ピントリングの前記回転及び前記進退を可能としつつ当該ピントリングに接してこれを保持する保持部と、を備え、前記ピントリング及び前記ベースの少なくとも一方は、前記カム部と前記カム受け部との間に弾性力を作用させる弾性部を、当該一方の一部を構成するものとして備え、前記ピントリングは略円筒形状をもち、前記カム部は、前記ピントリングにおける前記ベースに対向する一方の周端面の上に備えられており、前記弾性部は、前記ピントリングの他方の周端面に近い側面に、且つ、その周方向に沿って一定の長さをもつように形成された第３長穴、及び、当該周端面間の第２横梁部を含み、当該弾性部による前記弾性力は、前記第２横梁部の撓みを原因として発生し、前記保持部は、前記第２横梁部を前記光軸方向に沿って押すことにより前記撓みを発生させる、ことを特徴とする。
【００１７】
なお、弾性部が長穴及び横梁部を含む態様では、前記弾性部は、前記ピントリングの円筒壁を径方向に薄肉化した薄肉壁に備えられているように構成してもよい。
【００１８】
また、上記目的を達成するため、本発明の第５の観点に係るレンズ保持装置は、レンズを保持する鏡枠と、前記鏡枠の周囲を囲むように配置されたピントリングと、前記レンズ、前記鏡枠及び前記ピントリングを保持するベースと、を備えたレンズ保持装置であって、前記ピントリングに、前記レンズの中心を中心とした回転をさせる動力を入力するための動力入力端部と、前記回転により、当該ピントリング並びに前記鏡枠及び前記レンズを、該レンズの光軸方向に沿って進退可能とする段差をもつカム部と、を備え、前記ベースに、前記カム部と当接するカム受け部と、前記ピントリングの前記回転及び前記進退を可能としつつ当該ピントリングに接してこれを保持する保持部と、を備え、前記ピントリング及び前記ベースの少なくとも一方は、前記カム部と前記カム受け部との間に弾性力を作用させる弾性部を、当該一方の一部を構成するものとして備え、前記ピントリングは略円筒形状をもち、前記弾性部は、前記ピントリングの一方の周端面又は該一方の周端面と対向すべき前記ベースの基礎面に付着された板ばねを含み、前記カム部は、前記ピントリングの他方の周端面の上に備えられている、ことを特徴とする。
【００１９】
また、上記目的を達成するため、本発明の第６の観点に係る携帯機器は、上述のレンズ保持装置を撮影装置として用いたことを特徴とする。
【発明の効果】
【００２１】
以上のように、本発明によれば、カム部及びカム受け部間に作用させる弾性力を発生する弾性部が、ピントリング及びベースの少なくとも一方の一部を構成するものとして備えられているので、当該弾性部を別途設けるなどという場合に比べて、部品点数が増大するということがない。したがって、より簡易な構造が実現されつつも、ピント調整可能なレンズ保持装置が提供されることになる。
【発明を実施するための最良の形態】
【００２２】
（第１実施形態）
以下では、本発明の第１の実施の形態について、図１乃至図３を参照して説明する。本実施形態に係るレンズ保持装置１Ａは、鏡枠３、ピントリング４Ａ及びベース５Ａを備えている。
【００２３】
鏡枠３は、その一方の端に底３１（図１では図中上方に示されている）をもつ略円筒形状をもつ。鏡枠３は、その内周面においてレンズ２の外周面を保持する。また、鏡枠３の底３１には、光進入孔３２が形成されている。レンズ２への光の入射は、この光進入孔３２を介して行われる。
鏡枠３の外周面には、レンズ２の光軸方向に沿って雄ねじ３３が形成されている。この雄ねじ３３は、後述するピントリング４Ａに備えられた雌ねじ４Ｇにねじ込まれる。
【００２４】
ピントリング４Ａは、略円筒形状をもつ。その一方の端面４１の殆どはベース５Ａの基礎面５１に接する（ただし、後述する第２カム部４４に関して若干の例外がある。）。また、他方の端面４２には、図１乃至図３に示すように、第１カム部４３が備えられている。
なお、以上述べた中における一方の端面４１及び他方の端面４２は、ピントリング４Ａを光軸方向に臨むと、リング形状をもつ面として視認されるが、かかる面を、本明細書では、ピントリングの「周端面」と呼んでいることがある。
【００２５】
第１カム部４３は、図２の平面図に示すように、ピントリング４Ａの周方向に沿って、等間隔で、３つ形成されている。また、この第１カム部４３は、図３に示すように、周端面の一部を光軸方向に削り取るようにして形成された溝４３Ｇ（言い換えると、光軸方向に沿って深さをもつ溝４３Ｇ）を構成要素とする。この溝４３Ｇの底には、段差４３Ｄを挟んで、上面４３１及び下面４３２が形成されている。また、溝４３Ｇの長さは、ピントリング４Ａの全周の長さを”３６０”とすると、概ね”２０〜３０”程度の大きさをもつ。
このような第１カム部４３には、ベース５Ａの一部を構成するリング保持部５２が当接するが、この点については後にも説明する。
【００２６】
第２カム部４４は、図３に示すように、第１カム部４３が他方の端面４２に形成されているのとは反対に、ピントリング４Ａの一方の端面４１の上に備えられている。この第２カム部４４は、３つの第１カム部４３に対応するように３つ備えられている。これら１つ１つの第２カム部４４は、第１カム部４３と同様、段差４４Ｄを挟んで、第１面４４１及び第２面４４２をもつ。
この第２カム部４４には、ベース５Ａの基礎面５１からドーム状に突出するカム受け部５９が当接する。
【００２７】
ピントリング４Ａの内周面には、レンズ２の光軸方向に沿って雌ねじ４Ｇが形成されている。この雌ねじ４Ｇには、前述のように、鏡枠３の雄ねじ３３がねじ込まれる。これにより、ピントリング４Ａ、並びに、鏡枠３及びレンズ２は、一体的なまとまりをもって構成される。
【００２８】
また、ピントリング４Ａは、図２に示すように、その外周面に、径方向に沿って一定の長さ突出したレバー部４９をもつ。このレバー部４９は、ピントリング４Ａをレンズ２の中心点を中心として回転させるための動力入力端である。すなわち、レバー部４９が、例えば操作者の手等によって、図中時計回り方向に押されれば、ピントリング４Ａは同方向に回転し、その位置から逆に図中反時計回り方向に押されれば、ピントリング４Ａはやはり同方向に回転する。なお、このピントリング４Ａの回転の際には、それと一体的なまとまりをもつ鏡枠３及びレンズ２も同様に回転することになる。
【００２９】
ベース５Ａは、略円盤形状あるいは略正方形状をもつ。その一方の面（図１では上面）は基礎面５１であり、前述のように、ピントリング４Ａの一方の端面４１が接する。
また、他方の面（図１では下面）には、撮像素子ホルダ９１が取付けられている。この撮像素子ホルダ９１は、一方の端に底をもつ略円筒形状であり、その底の中心に固体撮像素子９を備えている。ここで固体撮像素子９とは、例えば、ＣＭＯＳ（Complementary Metal Oxide Semiconductor）イメージセンサ、ＣＣＤ（Charge Coupled Device）イメージセンサ等が含まれる。また、この固体撮像素子９と、すぐ後に述べる光導入孔５８との間には、ガラス板９５が備えられている。
【００３０】
ベース５Ａの中心には、前記固体撮像素子９の配置位置に対応するように光導入孔５８が形成されている。これにより、当該レンズ保持装置１Ａに進入する光は、光進入孔３２及びレンズ２を通過し、更に光導入孔５８及びガラス板９５を通過して、最終的に固体撮像素子９に至る。
【００３１】
ベース５Ａの基礎面５１の上には、前記ピントリング４Ａを保持するためのリング保持部５２が備えられている。リング保持部５２は、図２に示すように、前記第１カム部４３の配置位置に対応するように、３つ備えられている。
【００３２】
これらリング保持部５２の１つ１つは、柱部５３及び覆蓋部５４からなる。
柱部５３は、厚さの比較的小さい概略直方体形状をもち、基礎面５１から垂直に立ち上がる。この立ち上がる方向は、レンズ２の光軸方向に一致する。
覆蓋部５４は、この柱部５２の頂上端からベース５Ａの中心に向かって延びる。このようにして、覆蓋部５４は、ピントリング４Ａの周端面のうち第１カム部４３となる部分（ないしは、溝４３Ｇが存在する部分）を覆う。
さらに、覆蓋部５４は、その一方の面（図３では下面）に、ドーム状突起５４１をもつ。覆蓋部５４は、このドーム状突起５４１の頂点を当接部位として、単に第１カム部４３を覆うだけではなく、該第１カム部４３を構成する上面４３１又は下面４３２に当接する。
【００３３】
これらドーム状突起５４１と第１カム部４３（ないしは、これを構成する上面４３１及び下面４３２）との間には、リング保持部５２から発生する弾性力が作用するようになっており、両者間の当接は常に確保される。これは、リング保持部５２、即ち柱部５３及び覆蓋部５４が、延び、ねじれ、あるいは曲がる等することによって、自身の内部に弾性エネルギを蓄えうるようになっていることによる。
【００３４】
これを好適に実現するためには、より具体的には例えば、次のような点を考慮すればよい。
（ｉ）  ピントリング４Ａを３つのリング保持部５２（覆蓋部５４の下面）に嵌め込むようにして配置する際におけるドーム状突起５４１と上面４３１との間に働く力を考慮し、併せて、その場合のリング保持部５２の変形量を考慮する。
（ｉｉ）  ピントリング４Ａをレバー部４９を用いて回転させ、ドーム状突起５４１が下面４３２と当接することとなった場合に、それによるドーム状突起５４１の図１中上方への移動が、リング保持部５２全体にどのような、またどの程度の変形（例えば、柱部５３の径方向外側への反り返り量等）を与えるか考慮する。
（ｉｉｉ）  （ｉｉ）の変形量が、（ｉ）の既変形量にも配慮した上で、リング保持部５２の弾性変形範囲内であるかどうかを考慮する。
【００３５】
このようにして、（ｉｉｉ）の考慮により、当該の変形量（即ち、（ｉｉ）の変形量）が、リング保持部５２の弾性変形範囲内であれば、ドーム状突起５４１及び上面４３１間の当接は、好適に維持され得ることになる。
なお、（ｉ）から（ｉｉｉ）までの考慮にあたっては、リング状保持部５２の発生する弾性力が、ピントリング４Ａの回転を妨げないような大きさにおさめられるべきであることについても、配慮を要する。
【００３６】
以上のように、第１実施形態のリング保持部５２は、ピントリング４Ａを保持する機能を持つと共に、第１カム部４３に対するカム受け部としての機能、並びに、これら第１カム部４３及びカム受け部間に作用せられるべき弾性力の発生源としての弾性部としての機能をも、併せ持つ。
【００３７】
次に、このようなレンズ保持装置１Ａにおける焦点調整動作について説明する。
まず、図３に示すように、第１カム部４３の上面４３１と、ベース５Ａのドーム状突起５４１とが当接している場合において、当該レンズ保持装置１Ａは、第１の合焦状態にある。なお、この場合、ベース５Ａのカム受け部５９は、第２カム部４４の第１面４４１に当接した状態にある。
【００３８】
これらの当接は、リング保持部５２から発生する弾性力が、上面４３１及びドーム状突起５４１間、並びに、第１面４４１及びカム受け部５９間に働くことによって、好適に確保される。つまり、ベース５Ａによって、ピントリング４Ａは安定的に保持され、したがって鏡枠３及びレンズ２のがたつき等の発生は極力抑制される。
【００３９】
この第１の合焦状態に続いて、ピントリング４Ａのレバー部４９を、図２中時計回りに回転させると、ドーム状突起５４１は、第１カム部４３の段差４３Ｄを通過して、下面４３２と当接するに至る。この際、これと並行して、カム受け部５９もまた、第２カム部４４の段差４４Ｄを通過して、第２面４４２と当接するに至る。
【００４０】
この状態においては、当該レンズ保持装置１Ａは第２の合焦状態にある。かかる状態は、ベース５Ａを基準として見た場合に、ピントリング４Ａが相対的に基礎面５１からより遠くに移動した状態（即ち、図１中上方に移動した状態）である。移動距離は、段差４３Ｄ（又は段差４４Ｄ）の高さに相当する。
また、この状態においても、リング保持部５２は、ピントリング４Ａに対して、所定の弾性力を及ぼす。したがって、ピントリング４Ａは依然安定的に保持され、鏡枠３及びレンズ２のがたつき等の発生は極力抑制される。
【００４１】
なお、第１及び第２の合焦状態をどの程度の高低差として定めるかにあたっては、レンズ２の特性等様々な事情を考慮することができる。具体的に定まった高低差を実現するためには、上述のように、段差４３Ｄ（又は段差４４Ｄ）の高さ（あるいはこれに加えて、溝４３Ｇの深さ等）を調整することによればよい。
また、溝４３Ｇの両端は、リング保持部５２の動作範囲を画する作用を呈する。これによると、溝４３Ｇの長さを予め好適に設定しておけば、ピントリング４Ａの動作範囲を好適に設定することができる。
【００４２】
以上説明した、第１実施形態に係るレンズ保持装置１Ａによれば、次のような効果が奏される。
（１）  第１実施形態に係るレンズ保持装置１Ａは、第１カム部４３、及びこれに対応するカム受け部たるドーム状突起５４１間に作用させる弾性力を発生する弾性部が、ベース５Ａの一部を構成するもの（即ち、リング保持部５２）として備えられている。
したがって、当該弾性部を別途設けるなどという場合に比べて、部品点数が増大するということがない。また、より簡易な構造が実現されつつも、ピント調整可能なレンズ保持装置が提供されることになる。
【００４３】
（２）  また、第１実施形態に係るレンズ保持装置１Ａは、リング保持部５２が、前述の「弾性部」に加えて、本発明にいう「カム受け部」及び「保持部」の機能を一挙に体現する共通の部材となっている。したがって、前述の効果は、より実効的に享受される。
【００４４】
以上述べた効果は、従来例と比べるとより一層明瞭に認識される。すなわち、図４に示すように、従来のレンズ保持装置１Ｚでは、ベース５Ｚに立設した固定壁５Ｚ１にカバー９０１が取付けられ、このカバー９０１に更に、板ばね９０２が取付けられるという形態が採用されている。板ばね９０２は、円筒形状の鏡枠３の周端面を図中上方から下方に向けて押え込むと共に、ピストンリング４Ｚを押え込むものである。
しかしながら、これによると、第１実施形態に比べて、カバー９０１及び板ばね９０２という余計な部材が必要となり、部品点数が増大する。そして、その結果、コスト増大が見込まれ、構造の複雑化、組み立ての困難化等を招くことになってしまうのである。
第１実施形態では、かかる不具合をこうむるおそれが極めて低いのである。
【００４５】
（３）  以上に加えて、第１実施形態に係るレンズ保持装置１Ａでは、前記リング保持部５２が、柱部５３及び覆蓋部５４からなる形態をもつから、弾性力の発生源としては好適ということができる。というのも、例えば、覆蓋部５４と柱部５３との繋ぎ目部分を基端とした当該覆蓋部５４の反りや、あるいは柱部５３と基礎面５１との繋ぎ目部分を基端とした当該柱部５３の反り等の弾性変形が生じやすく、弾性力発生源としての利用のしやすさがあるからである。
【００４６】
（４）  また、第１実施形態では、カム部４３が、溝４３Ｇの底に形成されていることから、ピントリング４Ａの光軸方向に沿った大きさを一定程度に抑制することができる。このことはまた、当該レンズ保持装置１Ａ全体の小型化をも可能とする。
【００４７】
（第２実施形態）
以下では、本発明の第２の実施の形態について、図５乃至図７を参照して説明する。なお、以下の説明においては、上記第１実施形態と重複する部分においては、説明を省略する。また、後の説明で参照する図面において、上記第１実施形態におけるのと実質的に同一の要素を指示する場合には、同一の符号を用いる。
【００４８】
第２実施形態のレンズ保持装置１Ｂは、第１実施形態とほぼ同様、レンズ２を保持する鏡枠３、ピントリング４Ｂ及びベース５Ｂを備えている。相違点は、ピントリング４Ｂの一部を構成する長穴カム部４３０、及び、弾性部４５０、並びにこれらに関わる構成である。
【００４９】
まず、レンズ保持装置１Ｂの長穴カム部４３０は、図７に示すように、ピントリング４Ｂの側面に形成されたカム用長穴４０１を構成要素とする。このカム用長穴４０１は、ピントリング４Ｂの周方向に沿って一定の長さをもつ。その長さは、ピントリング４Ｂの全周の長さを”３６０”とすると、概ね”２０〜３０”程度の大きさである。また、かかるカム用長穴４０１は、ピントリング４Ｂの周方向に沿って、等間隔で、３つ形成されている。
【００５０】
長穴カム部４３０は、このようなカム用長穴４０１の輪郭形状の一部として備えられている。すなわち、カム用長穴４０１は、図７に示すように、上・長穴部４３３及び下・長穴部４３４並びに段差穴部４３０Ｄからなっている。このうち上・長穴部４３３は、下・長穴部４３４に対して相対的に光源に近い方（即ち、図７では上方）に位置する。つまり、上・長穴部４３３及び下・長穴部４３４間には光軸方向に沿った一定の距離がある。段差穴部４３０Ｄは、このような距離を埋めるべく、上・長穴部４３３及び下・長穴部４３４を連結する。
長穴カム部４３０は、このような長穴部４３３及び４３４並びに段差穴部４３０Ｄが形作る輪郭形状によって構成されている。
【００５１】
カム用長穴４０１には、径方向外側から内側に向かって突起部５０２が差し込まれている（図５も参照）。突起部５０２は、レンズ保持装置１Ｂのリング保持部５０１の構成要素である。
リング保持部５０１は、前記突起部５０２のほか、突起部５０１の基端から光軸方向に沿って延びベース５Ａの基礎面５１に至る柱部５３からなる。この柱部５３に関しては、上記第１実施形態におけるそれと実質的に何の変更もない（ただし、突起部５０１の位置すべき高さと、ドーム状突起５４１の位置すべき高さとの相違に鑑み、柱部５３自体の高さは好適に調整されうる。）。
【００５２】
このように、第２実施形態のレンズ保持装置１Ｂは、第１実施形態における第１カム部４３及び第２カム部４４に代わって長穴カム部４３０が、同じくドーム状突起５４１に代わって突起部５０２が、それぞれ置き換えられたかのような形態をもっている。
【００５３】
なお、第２実施形態のリング保持部５０１は、本発明にいう「カム受け部」及び「保持部」を一挙に体現する共通の部材である。
【００５４】
一方、レンズ保持装置１Ｂの弾性部４５０は、図７に示すように、弾性部用長穴４５１及び横梁部４５２を構成要素とする。
このうち弾性部用長穴４５１は、ピントリング４Ｂの図７中下側の周端面に近い側面に、且つ、該ピントリング４Ｂの周方向に沿って一定の長さをもつように形成されている。この弾性部用長穴４５１もまた、前記のカム用長穴４０１と同様、ピントリング４Ａの周方向に沿って、等間隔で、３つ形成されている。
なお、弾性部用長穴４５１の長さも、カム用長穴４０１の長さとほぼ同様としてよい。
【００５５】
また、横梁部４５２は、前述のように、弾性部用長穴４５１が「ピントリング４Ｂの…周端面に近い側面」に形成されることにより、必然的に形成される（図７参照）。
この横梁部４５２は、図７に示すように、弾性部用長穴４５１の全長（図７中左右方向の長さ）にわたって延在するのではなく、いわば片持ち梁のような形態をもつ。これにより、弾性部用長穴４５１は、ピントリング４Ｂの周端面において開口する。
【００５６】
このような横梁部４５２には、ベース５Ｂの基礎面５１上に備えられた凸部５６が当接する。この凸部５６は、図７に示すように、横梁部４５２を図中下側から上側に向かって押すことが可能である。これにより、横梁部４５２には撓みが生じ、弾性部４５０は、弾性力を発生する。
【００５７】
また、横梁部４５２の端部には、瘤部４５４が備えられている。この瘤部４５４は、図７に示すように、全体的に三角形状の矢尻形の形状をもち、かつ、当該矢尻形の張り出し部分（矢尻の後端部分）が図中下側に突出するかのような形状をもつ。
このような形状をもつ瘤部４５４は、前記の凸部５６に係合可能である。ここでいう「係合」とは特に、図７からもわかるように、ピントリング４Ｂが、周方向に沿って回転する際、その回転運動を規制するように、瘤部４５４及び凸部５６が直に接して相互に力を及ぼし合うことの可能な状態に至ることをいう。
【００５８】
なお、レンズ保持装置１Ｂには、上述のほか、前記カム用長穴４０１に連通する突起部挿入用孔４０２が形成されている。この突起部挿入用孔４０２は、図７に示すように、ピントリング４Ｂの側端面を掘り崩すように形成された溝部分と、当該溝部分とカム用長穴４０１の一端部とを連通する連通部分とからなる。
突起部５０２は、この突起部挿入用孔４０２を通る（即ち、最初に溝部分、次いで連通部分を通る）ことによって、カム用長穴４０１の内部に位置付けられ得るようになっている。
【００５９】
次に、このようなレンズ保持装置１Ｂにおける焦点調整動作について説明する。
まず、図７に示すように、長穴カム部４３０の上・長穴部４３３と、ベース５Ｂの突起部５０２とが当接している場合において、当該レンズ保持装置１Ｂは、第１の合焦状態にある。
【００６０】
これらの当接は、弾性部４５０から発生する弾性力が、上・長穴部４３３及び突起部５０２間に働くことによって、好適に確保される。ここで弾性部４５０から発生する弾性力とは、より直接的には、横梁部４５２に生じる撓みが原因となって発生する。
以上により、ベース５Ｂによって、ピントリング４Ｂは安定的に保持され、したがって鏡枠３及びレンズ２のがたつき等の発生は極力抑制される。
【００６１】
この第１の合焦状態に続いて、ピントリング４Ｂのレバー部４９を、図６中時計回りに回転させると、突起部５０２は、長穴カム部４３０の段差穴部４３０Ｄを通過して、下・長穴部４３４の中に入り込むに至る。
【００６２】
この状態においては、当該レンズ保持装置１Ｂは第２の合焦状態にある。かかる状態は、ベース５Ｂを基準として見た場合に、ピントリング４Ｂが相対的に基礎面５１からより遠くに移動した状態（即ち、図５中上方に移動した状態）である。移動距離は、段差穴部４３０Ｄの高さ（あるいは、上・長穴部４３３及び下・長穴部４３４間の光軸方向に沿った距離）に相当する。
また、この状態においても、弾性部４５０は、ピントリング４Ｂに対して、所定の弾性力を及ぼす。この第２の合焦状態では、前記の第１の合焦状態に比べて、横梁部４５２の撓みの程度は小さくなるが、なお適正な弾性力を発生させることは可能である。逆に言うと、横梁部４５２の長さや、凸部５６の高さ等の諸量、更にはこれら要素の材質等は、第１及び第２の合焦状態のいずれであっても、突起部５０２とカム用長穴４０１との間に所定範囲内の弾性力が作用するよう定められる必要がある。
いずれにせよ、この第２の合焦状態においても、ピントリング４Ｂは依然安定的に保持され、鏡枠３及びレンズ２のがたつき等の発生は極力抑制される。
【００６３】
以上説明した、第２実施形態に係るレンズ保持装置１Ｂによっても、前述した第１実施形態とほぼ同様の効果が奏されることが明らかである。すなわち、
（１）  第２実施形態に係るレンズ保持装置１Ｂでは、長穴カム部４３０、及びこれに対応するカム受け部たる突起部５０２間に作用させる弾性力を発生する弾性部４５０が、ピントリング４Ｂの一部を構成するものとして備えられている。
したがって、当該弾性部を別途設けるなどという場合に比べて、部品点数が増大するということがない。また、より簡易な構造が実現されつつも、ピント調整可能なレンズ保持装置が提供されることになる。
【００６４】
（２）  また、第２実施形態に係るレンズ保持装置１Ｂでは、リング保持部５０１が、本発明にいう「カム受け部」及び「保持部」の機能を一挙に体現する共通の部材となっている。したがって、前述の効果は、より実効的に享受される。
【００６５】
（３）  さらに、第２実施形態に係るレンズ保持装置１Ｂでは、弾性部４５０が、横梁部４５２等を構成要素の一部とし、その撓みを原因とした弾性力を発生するものとなっている。このように、弾性部の具体的態様が第１実施形態とは異なるものの、第２実施形態は、実効的な弾性力の発生源として最適な形態の一つを提供する。
【００６６】
（４）  加えて、第２実施形態に係るレンズ保持装置１Ｂでは、次のような特別な効果が奏される。
すなわち、前記横梁部４５２は、その先端に瘤部４５４を備えており、この瘤部４５４は、前記の凸部５６と係合可能となっている。ここで「係合」とは、前述のように、ピントリング４Ｂが、周方向に沿って回転する際、その回転運動を規制するように、瘤部４５４及び凸部５６が相互に力を及ぼし合うことの可能な状態に至ることをいうから、結局、これら両者の存在により、ピントリング４Ｂが必要以上回転することを規制することができる。
【００６７】
（５）  また、レンズ保持装置１Ｂでは、前述のように、カム用長穴４０１に通ずる突起部挿入用孔４０２が形成されていることにより、ピントリング４Ｂ及びベース５Ｂ間の組み付けを容易に行うことができる。より具体的に、両者間の組み付けは、例えば次のように行われる。第１に、ピントリング４Ｂの周方向に３カ所ある突起部挿入用孔４０２の溝部分それぞれに、ベース５Ｂの３つの突起部５０２（即ち、リング保持部５０１）を位置付けさせる。第２に、ピントリング４Ｂ及びベース５Ｂ間の距離を相対的に接近させ、突起部５０２が、突起部挿入用孔４０２の連通部分を通るようにする。第３に、ピントリング４Ｂを周方向に沿って回転させることで、突起部５０２が、カム用長穴４０１の中に入り込むようにする。
このように、第２実施形態においては、ピントリング４Ｂ及びベース５Ｂ間の組み付けの際には、例えば、両者間の位置を微妙に調整しつつ、かつ、両者間に一定の弾性力を働かせながらこれらを嵌め合わせる、といった注意深さが必要とされる工程が含まれていない。したがって、第２実施形態では、より容易に、あるいはさほど大きな注意を払わなくとも高精度に、ピントリング４Ｂ及びベース５Ｂ間の組付けを行うことができるのである。
【００６８】
（第３実施形態）
以下では、本発明の第３の実施の形態について、図８乃至図１０を参照して説明する。なお、以下の説明においては、上記第１実施形態と重複する部分においては、説明を省略する。また、後の説明で参照する図面において、上記第１実施形態におけるのと実質的に同一の要素を指示する場合には、同一の符号を用いる。
【００６９】
第３実施形態のレンズ保持装置１Ｃは、第１実施形態とほぼ同様、レンズ２を保持する鏡枠３、ピントリング４Ｃ及びベース５Ｃを備えている。
特に、このレンズ保持装置１Ｃが備えるカム部４４は、第１実施形態における第２カム部４４と全く同じ構造をもち、かつ、同じ原理（即ち、カム受け部５９との当接を利用した原理）で機能する。
また、レンズ保持装置１Ｃが備えるリング保持部５２もまた、第１実施形態におけるそれと全く同じ構造をもつ。すなわち、このリング保持部５２も、柱部５３及び覆蓋部５４並びにドーム状突起５４１を備えている。したがって、第３実施形態でも、これらの要素については第１実施形態の場合と同じ符号を使用するが、ただし、第３実施形態におけるリング保持部５２は、第１実施形態におけるそれとは機能の点で若干相違がある。この点については、後に述べる。
【００７０】
第３及び第１実施形態間の大きな相違点は、ピントリング４Ｃの一部を構成する弾性部４６０及びこれに関わる構成である。この弾性部４６０は、図８に示すように、薄肉壁４９９と、この薄肉壁４９９に形成された弾性部用長穴４６１及び横梁部４６２とを構成要素とする。
【００７１】
このうち薄肉壁４９９は、図８及び図９に示すように、ピントリング４Ｃの円筒壁の一部を径方向に薄肉化した壁である。この薄肉壁４９９は、ピントリング４Ｃの周方向に沿って、等間隔で３つ形成された円弧状切込み４９８によって、都合３つ形成される。１つ１つの円弧状切込み４９８、ないしは薄肉壁４９９の長さは、ピントリング４Ｃの全周の長さを”３６０”とすると、概ね”２０〜３０”程度の大きさをもつ（なお、第３実施形態の場合、円弧状切込み４９８の長さと薄肉壁４９９の長さは常にほぼ等しい。）。
【００７２】
このような円弧状切込み４９８が形成されたピントリング４Ｃの円筒壁部分は、当該円弧状切込み４９８を挟んで、径方向外側及び内側のそれぞれに位置する２つの円弧状断面をもつ壁に分割される。薄肉壁４９９は、このうち径方向外側に位置する円弧状の壁に一致する。
また、このような構造から、薄肉壁４９９の厚さは、円弧状切込み４９８の径方向の厚さ及びその形成位置を調整することによって、調整され得る。近似的には、前者をＷ、後者をＷｋ、ピントリング４Ｃ本体たる円筒壁の厚さをＷＡとすれば、Ｗ＝（ＷＡ−Ｗｋ）／２である（この式が厳密に適用されうるのは、円弧状切込み４９８が、円筒壁の中央部分（該円筒壁の厚さ方向でみた中央部分）に形成された場合である。）。
【００７３】
なお、この薄肉壁４９９の図１０中上側の周端面には、溝４９９Ｇが、該周端面の一部を光軸方向に削り取るようにして形成されている。言い換えれば、この溝４９９Ｇは、光軸方向に沿って深さをもつ。
【００７４】
一方、弾性部用長穴４６１は、前記の溝４９９Ｇの底に近い薄肉壁４９９の側面に、且つ、該薄肉壁４９９の周方向に沿って一定の長さをもつように形成されている。この弾性部用長穴４６１は、図９に示すように、ピントリング４Ｃの周方向に沿って、等間隔で、３つ形成されている。また、弾性部用長穴４６１の長さは、ピントリング４Ｃの全周の長さを”３６０”とすると、概ね”２０〜３０”程度の大きさをもつ。ただし、殆ど常に、薄肉壁４９９の周方向の長さよりも小さい。
【００７５】
また、横梁部４６２は、前述のように、弾性部用長穴４６１が「溝４９９Ｇの底に近い薄肉壁４９９の側面」に形成されることにより、必然的に形成される（図１０参照）。
【００７６】
なお、この横梁部４６２は、第２実施形態の横梁部４５２とは異なり、弾性部用長穴４６１の全長にわたって延在する。
また、前記でいう「溝４９９Ｇの底に近い薄肉壁４９９の側面」に弾性部用長穴４６１が形成される、ということは、薄肉壁４９９もまたピントリング４Ｃの一部である以上、当然、本発明にいう「ピントリングの周端面に近い側面」に弾性部用長穴が形成される、ということに含意される。
【００７７】
先に言及した、ベース５Ｃの基礎面５１上に備えられたリング保持部５２のドーム状突起５４１は、図８乃至図１０に示すように、このような横梁部４６２に当接する。したがって、この場合のドーム状突起５４１は、横梁部４６２を押圧して撓ませ、それによる弾性力を発生させる部材としての機能をもつ。
この点、第１実施形態におけるドーム状突起５４１が、カム部４３を覆い且つこれと当接するために設けられていたのとは機能が異なる。ただし、既述のように、ドーム状突起５４１を含むリング保持部５２の構造それ自体は、第１及び第３実施形態間で全く異なる点をもたない（あるいは、上述した機能に鑑み、そういった”異なる点”をもつように、新たな「リング保持部」を構成してもよいが、それが必然的に要求されるわけではない。）。
【００７８】
以上説明した、第３実施形態に係るレンズ保持装置１Ｃによっても、前述した第１実施形態とほぼ同様の作用及び効果が奏されることが明らかである。すなわち、まず、このレンズ保持装置１Ｃにおいても、焦点調整動作が可能である。ただ、この場合においては、カム部４４及びカム受け部５９間に作用させる弾性力の発生主体が横梁部４６２等を含む弾性部４６０であることが、上記第１及び第２実施形態と異なるだけである。
【００７９】
（１）  したがって、この第３実施形態に係るレンズ保持装置１Ｃによっても、弾性部４６０は、ピントリング４Ｃの一部を構成するものとして備えられていることから、部品点数が増大するということがなく、より簡易な構造が実現されつつも、ピント調整可能なレンズ保持装置が提供されることになる。
【００８０】
（２）  また、第３実施形態に係るレンズ保持装置１Ｃでは、弾性部４６０が、横梁部４６２等を構成要素の一部とし、その撓みを原因とした弾性力を発生するものとなっている。
また、その撓みは、ベース５Ｃのリング保持部５２を構成するドーム状突起５４１の押圧力を原因として発生する。
この場合、上記第１実施形態において説明したように、当該リング保持部５２は、そもそも弾性力発生主体としての能力ないし機能を好適に備えうることに注意を要する。つまり、ピントリング４Ｃには、前記弾性部４６０による弾性力のほか、リング保持部５２の変形を原因とする弾性力もまた、作用しうる状況にあり、その結果、両者を併せた比較的大きな弾性力を容易に得うる可能性があるのである。
このように、弾性部の具体的態様は第１及び第２実施形態とは異なるものの、第３実施形態の弾性部は、実効的な弾性力の発生源として最適な形態の一つを提供する。
【００８１】
（３）なお、上述したように、リング保持部５２が弾性力発生主体に当たるという観点からすると、当該リング保持部５２は、本発明にいう「弾性部」及び「保持部」の機能を一挙に体現する共通の部材と言いうることになる。したがって、その場合、前述の構造簡易化等の効果は、より実効的に享受されているということもできる。
【００８２】
（４）  加えて、第３実施形態に係るレンズ保持装置１Ｃでは、次のような特別な効果が奏される。
すなわち、第３実施形態では、弾性部４６０は、上述のように、薄肉壁４９９の一部を構成するものとして備えられていることから、前記にもまして、弾性力の向上が図られ得るのである。なぜなら、例えば、弾性部４６０を、ピントリング４Ｃの本体たる円筒壁に直接形成する場合よりも、それよりも厚さの小さい薄肉壁４９９に形成した方が、横梁部４６２が撓みうる量、即ち弾性変形しうる範囲が明らかに大きくなっているからである。
【００８３】
なお、弾性力の大きさは、上述したことからも明らかなように、ピントリング４Ｃの材質、薄肉壁４９９の厚さ、弾性部用長穴４６１の大きさ、横梁部４６２の太さ等を初めとして、リング保持部５２の材質、覆蓋部５４の長さ、柱部５３の高さ等々様々なパラメータの影響を受ける。したがって、弾性力の大きさは、これらパラメータの調整を通じて、好適に設定することができる。
【００８４】
（第４実施形態）
以下では、本発明の第４の実施の形態について、図１１乃至図１３を参照して説明する。なお、以下の説明においては、上記第１実施形態と重複する部分においては、説明を省略する。また、後の説明で参照する図面において、上記第１実施形態におけるのと実質的に同一の要素を指示する場合には、同一の符号を用いる。
【００８５】
第４実施形態のレンズ保持装置１Ｄは、第１実施形態とほぼ同様、レンズ２を保持する鏡枠３、ピントリング４Ｄ及びベース５Ｄを備えている。
特に、このレンズ保持装置１Ｄが備えるカム部４３は、第１実施形態における第１カム部４３と全く同じ構造をもち、かつ、同じ原理（即ち、ドーム状突起５４１との当接を利用した原理）で機能する。また、レンズ保持装置１Ｄが備えるリング保持部５２もまた、第１実施形態におけるそれと全く同じ構造及び機能をもつ。
【００８６】
第４及び第１実施形態間の大きな相違点は、板ばね８及びこれに関わる構成である。
この板ばね８は、図１１に示すように、リング状の形態をもつ。この板ばね８は、ピントリング４Ｄの図中下側の周端面及びベース５Ｄの基礎面５１間に挟まれるようにして配置されている。
なお、板ばね８は、これらいずれかの面（即ち、前記周端面又は基礎面５１）に、あらかじめ、適当な粘着テープを用いた貼着等の適当な手段により付着させておく。
【００８７】
以上説明した、第４実施形態に係るレンズ保持装置１Ｄによっても、前述した第１実施形態とほぼ同様の作用及び効果が奏されることが明らかである。すなわち、まず、このレンズ保持装置１Ｄにおいても、焦点調整動作が可能である。ただ、この場合においては、カム部４３及びドーム状突起５４１間に作用させる弾性力の発生主体が板ばね８であることが、上記第１乃至第３実施形態と異なるだけである。
そして、この板ばね８は、前述のように、ピントリング４Ｄ又はベース５Ｄのいずれか一方に予め付着されているのである。
【００８８】
したがって、この第４実施形態に係るレンズ保持装置１Ｄによっても、弾性部たる板ばね８が、ピントリング４Ｄ又はベース５Ｄの一部を構成するものとして備えられていることから、部品点数が増大するということがなく、より簡易な構造が実現されつつも、ピント調整可能なレンズ保持装置が提供されることになる。
【００８９】
なお、第４実施形態における弾性力の発生主体の主役は、前述のように板ばね８であるが、第１実施形態と同様、リング保持部５２もまた弾性力発生主体の一翼を兼ねてもよい。更にいえば、弾性力の発生主体をリング保持部５２として板ばね８を設けないようにしてもよい。
【００９０】
（レンズ保持装置を備えた携帯電話の例）
図１４は、レンズ保持装置を備えた携帯電話７７の概略の断面を示している。この携帯電話７７はキー入力装置（図示せず）を備えた入力部６と、ＬＣＤなどの表示装置７３を備えた表示部７とによって構成されている。これら入力部６と表示部７とは、ヒンジ（図示せず）によって回転自在に連結されている。図１４は、このヒンジによって、入力部６と表示部７とが折り畳まれた状態の断面を表している。
【００９１】
前記のうち表示部７は、上述したようなレンズ保持装置１Ａ，１Ｂ，１Ｃ，１Ｄの何れか及び駆動回路（図示せず）を含むカメラモジュール１を設けた基板７２、カメラモジュール１のレンズ２（図示せず）と対向する位置に透明なガラス窓７４を備えている。
また、前記レンズ保持装置１Ａ，１Ｂ，１Ｃ，１Ｄの何れかのレバー部４９は、表示部７の外装形態を規定するケース７１の外部に引き出されている。ケース７１は、前記レバー部４９の先端に設けた釦部４９１をスライド可能に保持する。これらの構造には、防水対策が施され得る。
【００９２】
このような携帯電話７７によれば、ガラス窓７４からの画像をカメラモジュール１で撮影することができる。この際、釦部４９１を任意にスライド操作してレバー部４９を動かすことによって、上述したような第１あるいは第２の合焦状態を選択することができる。これにより焦点調整がなされてピントの合った画像の撮影ができるようになる。
【００９３】
なお、レンズ保持装置と駆動回路とを別体として設けても良い。また、携帯電話に限らずカメラ、電卓、ノートパソコン、電子辞書などの携帯機器であってもよい。
【００９４】
なお、本発明は上記実施形態にかかわらず、種々の変形が可能である。その変形例としては、例えば次のようなものがある。
（１）  上記各実施形態では、ピントリング４Ａ乃至４Ｄの回転（したがって、その光軸方向の進退）は、手動に因ることについて言及しているが、場合によっては、適当なモータ等をレバー部４９に接続することによって、自動的な回転が行われうるようになっていてもよい。
【００９５】
（２）  上記各実施形態では、本発明にいう「カム部」、「カム受け部」、「保持部」及び「弾性部」は、様々な具体的態様において実現されている。例えば、第３実施形態では、この順に、図中下方周端面のカム部４４、カム受け部５９、リング保持部５２、及び横梁部４６２を含む弾性部４６０、というようである。
このように、本発明の上記４つの概念は、そのそれぞれを各別の具体的態様でもって実現することが当然可能ではあるが、１個の装置の中で、１つの概念が２つ以上の具体的態様でもって実現されていても何ら問題ない。例えば、第３実施形態に関して述べたように、「弾性部」の機能は、弾性部４６０の他、リング保持部５２が担ってもよいということや、第１実施形態における第１カム部４３及び第２カム部４４のように「カム部」の機能を実現する具体的態様が２つ存在するということ等は、そのような場合に該当する。
そして、このようなことは、本明細書及び特許請求の範囲において開示されている、すべての個別的特徴についてあてはまる。例えば、横梁部４５２を含む弾性部４５０は、横梁部４６２を含む弾性部４６０と１個の装置の中で組み合わせ可能であり、あるいは、カム部４３は、カム用長穴４０１を含む長穴カム部４３０と１個の装置の中で組み合わせ可能等ということである。その他、上に言及しなかった特定の組み合わせに基づく具体的態様も、本発明は、基本的にすべて、その範囲内におさめるものである。
【００９６】
（３）  また、上記各実施形態では、例えば、第１実施形態のリング保持部５２の如く、「カム受け部」、「保持部」及び「弾性部」が共通の部材で構成され得、あるいは第２実施形態のリング保持部５０１の如く、「カム受け部」及び「保持部」が共通の部材で構成され得ることについて述べているが、「カム受け部」及び「弾性部」を共通の部材で構成し、「保持部」を別に構成するようにしてもよい。もちろん、「保持部」及び「弾性部」を共通の部材で構成し、「カム受け部」を別に構成するようにしてもよい。
【００９７】
（４）  上記各実施形態それぞれにおける「カム部」は、すべて比較的明確な”段差”をもつものとなっているが（第１実施形態では”段差４３Ｄ”及び”段差４４Ｄ”、第２実施形態では”段差穴部４３０Ｄ”、第３実施形態では”段差４４Ｄ”、第４実施形態では”段差４３Ｄ”）、本発明はかかる形態に限定されない。例えば、厳密にいえば”段差”とは言い難い場合であっても、ある面と、これと高さの異なる面、及びこれらを繋ぐ傾斜面ないしはスロープ等を備えているのであれば、本発明は、それをも「段差」概念ないし「カム部」概念に含むものとし、その範囲内におさめるものとする。そのようなものもまた、レンズ２を「光軸方向に沿って進退可能とする」機能をもつことが明らかだからである。
【図面の簡単な説明】
【００９８】
【図１】本発明の第１実施形態に係るレンズ保持装置を示す断面図である。
【図２】図１のレンズ保持装置の平面図である。
【図３】図１のレンズ保持装置における、カム部及びこれに対応するカム受け部並びに弾性部の詳細を示すピントリング等の一部側面図である。
【図４】従来のレンズ保持装置を示す断面図である。
【図５】本発明の第２実施形態に係るレンズ保持装置を示す断面図である。
【図６】図５のレンズ保持装置の平面図である。
【図７】図５のレンズ保持装置における、カム部及びこれに対応するカム受け部並びに弾性部の詳細を示すピントリング等の一部側面図である。
【図８】本発明の第３実施形態に係るレンズ保持装置を示す断面図である。
【図９】図８のレンズ保持装置の平面図である。
【図１０】図８のレンズ保持装置における、カム部及びこれに対応するカム受け部並びに弾性部の詳細を示すピントリング等の一部側面図である。
【図１１】本発明の第４実施形態に係るレンズ保持装置を示す断面図である。
【図１２】図１１のレンズ保持装置の平面図である。
【図１３】図１１のレンズ保持装置における、カム部及びこれに対応するカム受け部並びに弾性部の詳細を示すピントリング等の一部側面図である。
【図１４】レンズ保持装置を備えた携帯電話の概略の断面を示す概略断面図である。
【符号の説明】
【００９９】
１Ａ，１Ｂ，１Ｃ，１Ｄ・・・レンズ保持装置  ２・・・レンズ  ３・・・鏡枠    ３１・・・（鏡枠の）底    ３２・・・光進入孔    ３３・・・雄ねじ  ４Ａ，４Ｂ，４Ｃ，４Ｄ・・・ピントリング    ４１・・・一方の端面    ４２・・・他方の端面    ４３・・・第１カム部（又は第４実施形態では単に「カム部」）    ４３Ｄ・・・段差    ４３１・・・上面    ４３２・・・下面    ４３Ｇ・・・溝    ４４・・・第２カム部（又は第３実施形態では単に「カム部」）    ４４Ｄ・・・段差    ４４１・・・第１面    ４４２・・・第２面    ４９・・・レバー部    ４Ｇ・・・雌ねじ    ４０１・・・カム用長穴    ４０２・・・突起部挿入用孔    ４３０・・・長穴カム部    ４３０Ｄ・・・段差穴部    ４３３・・・上・長穴部    ４３４・・・下・長穴部    ４５０・・・弾性部    ４５１・・・弾性部用長穴    ４５２・・・横梁部    ４５３・・・切り欠き部    ４５４・・・瘤部    ４６０・・・弾性部    ４６１・・・弾性部用長穴    ４６２・・・横梁部    ４９８・・・円弧状切込み    ４９９・・・薄肉壁    ４９９Ｇ・・・溝  ５Ａ，５Ｂ，５Ｃ，５Ｄ・・・ベース    ５１・・・基礎面    ５２，５０１・・・リング保持部    ５３・・・柱部    ５４・・・覆蓋部    ５４１・・・ドーム状突起    ５０２・・・突起部    ５６・・・凸部    ５８・・・光導入孔    ５９・・・カム受け部  ８・・・板ばね  ９・・・固体撮像素子  ９１・・・撮像素子ホルダ    ７７・・・携帯電話
【図１】
0004930844.tif 000002
【図２】
0004930844.tif 000003
【図３】
0004930844.tif 000004
【図４】
0004930844.tif 000005
【図５】
0004930844.tif 000006
【図６】
0004930844.tif 000007
【図７】
0004930844.tif 000008
【図８】
0004930844.tif 000009
【図９】
0004930844.tif 000010
【図１０】
0004930844.tif 000011
【図１１】
0004930844.tif 000012
【図１２】
0004930844.tif 000013
【図１３】
0004930844.tif 000014
【図１４】
0004930844.tif 000015